(57)【要約】      （修正有）【課題】洋服の色やスタイルに合わせて自由に色彩や形状が変形でき、変形に合わせて収容物を入れ替える手間がないバッグを提供する。【解決手段】複数重ねた収容本体部１１０の両側面の上部に突出するように設けられた環状の被連結部１２０のうち、一方側に設けられた被連結部１２０を、まとめて１つの連結部材１３０で連結し、さらに他方側に設けられた被連結部１２０を、まとめて別の連結部材１３０で連結する。連結部材１３０は、例えば茄子鐶や鉄砲カン蟹鐶のように、通常はバネの力で環が閉じており、力を加えることで環が開くものであって、開いた環から複数の鐶部１２２を連結部材１３０の環に通し、連結部材１３０の環を閉じることで、連結部材１３０の環に複数の被連結部１２０が連結される。【選択図】図３
0003231827.tif 000002
【実用新案登録請求の範囲】
【請求項１】
収容物を区分けして収容する収容バッグにおいて、
収容物を区分けするための区分袋を重ねて着脱自在に連結する連結手段、
を備えたことを特徴とする収容バッグ。
【請求項２】
前記区分袋は、
平面形状であることを特徴とする請求項１記載の収容バッグ。
【請求項３】
前記連結手段は、
前記区分袋の側面に設けられた被連結鐶と、
前記被連結鐶をまとめて連結する連結鐶と、
を備えることを特徴とする請求項１記載の収容バッグ。
【請求項４】
前記連結鐶は、
前記収容バッグを把持するための取っ手部と着脱自在に連結されていることを特徴とする請求項３記載の収容バッグ。
【請求項５】
前記連結手段は、
一方の区分袋の表面と、他方の区分袋の裏面と、に設けられた一対の留め具であることを特徴とする請求項１記載の収容バッグ。
【請求項６】
前記留め具は、
着脱ボタンであることを特徴とする請求項５記載の収容バッグ。
【請求項７】
連結された前記区分袋のうち最表面に連結された最表面区分袋は、
前記最表面区分袋の表面に着脱自在に取付けられる装飾面、
を備えることを特徴とする請求項１記載の収容バッグ。
【請求項８】
連結される前記区分袋は、
各々異なったデザインが施されていることを特徴とする請求項１記載の収容バッグ。
【考案の詳細な説明】
【技術分野】
【０００１】
本考案は、収容バッグに関し、特に収容物を区分けして収容する収容バッグに関する。
【背景技術】
【０００２】
従来、収容物の運搬を主な目的とし、皮や布で袋状に形成された袋体に持ち手、ベルト、ストラップが取付けられたバッグが知られている。このバッグは、持ち手、ベルト、ストラップなどを利用して手に提げたり、肩に掛けたり、背中で背負うなど複数の形態で利用することができるものが開発されている（たとえば、特許文献１参照）。
【０００３】
例えば、特許文献１には、物品を収納するバッグ本体部１と、バッグ本体部１の一の面に一端が固設され、他端が係止具２１を有し、使用者の右肩又は左肩のいずれか一方に掛ける背負いベルト２と、バッグ本体部１の一の面に一端が固設され、他端が係止具２１と着脱可能に係止する取り付け具３１を有する支持部３と、バッグ本体部１の一の面と一端側で固設され、他端側にバッグ本体係合部１１と着脱可能に止着する止着部４１を有し、取り付け具３１及び支持部３の全てを覆い得る背当て部４とを備えることを特徴とするバッグが記載されている。
【０００４】
これにより、特許文献１のバッグは、背負いバッグとして使用するときにはバッグ本体から完全に分離するような部材を設けないため、手提げ、肩掛け、背負いなどの複数の保持方法を使い分けても紛失する部品がない。また、バッグを背負った状態で走ったり激しい動きをしたりしても体に保持することができる。
【先行技術文献】
【特許文献】
【０００５】
【特許文献１】特開２０１７−５３１号公報
【考案の概要】
【考案が解決しようとする課題】
【０００６】
しかし、１つのバッグで複数の形態に変形させてバッグを使用するため、バッグの色合いや、バッグ自体のデザインは一定の物でしか利用することができなかった。
例えば、オフィシャルなファッションの場合はハンドバッグ、カジュアルなスタイルの場合はリュックと使い分けることができるが、洋服の色に合わせてバッグの色を選択するには、他の色のバッグを用意するしかなく、洋服の色やスタイルに合わせるたびにバッグが増えてしまう問題があった。
【０００７】
また、洋服の色やスタイルに合わせるたびにバッグを変更する場合、バッグの中に常に入れている常備品なども、入れ替える必要があり、時間と手間がかかっていた。さらに入れ替え忘れてしまうと、持ち出したバッグに常備品が入っていないため、非常に困ることがあった。
【０００８】
本考案はこのような点に鑑みてなされたものであり、洋服の色やスタイルに合わせて自由に色彩や形状が変形でき、変形に合わせて収容物を入れ替える手間がないバッグを提供することを目的とする。
【課題を解決するための手段】
【０００９】
本考案では上記問題を解決するために、収容物を区分けして収容する収容バッグにおいて、収容物を区分けするための区分袋を重ねた区分袋層を着脱自在に連結する連結手段を備えたことを特徴とする収容バッグが提供される。
これにより、連結手段が収容物を区分けするための区分袋を重ねた区分袋層を着脱自在に連結する。
【考案の効果】
【００１０】
本考案の収容バッグによれば、連結機構が収容物を区分けするための区分袋を重ねた区分袋層を着脱自在に連結するので、必要な区分袋を選択し、所望の順位の連結層による連結バッグが形成できる。
【図面の簡単な説明】
【００１１】
【図１】本実施の形態に係る収容バッグ全体を示す斜視図である。
【図２】収容本体部および被連結部の詳細を示す斜視図である。
【図３】収容バッグの一方側の被連結部および連結部材の詳細を示す斜視図である。
【図４】収容本体部の連結方法を示す斜視図である。
【図５】収容バッグに取っ手部を取付けた様子を示す斜視図である。
【図６】収容バッグの表面に取付ける装飾面の詳細を示す斜視図である。
【考案を実施するための形態】
【００１２】
以下、本考案の実施の形態を、図面を参照して詳細に説明する。
図１は、本実施の形態に係る収容バッグ全体を示す斜視図である。
図１に示すように、収容バッグ１００は、収容本体部１１０、被連結部１２０、連結部材１３０を備えている。
【００１３】
収容本体部１１０は、収容物を収容するための３辺が閉口された袋体である。また開口された１辺は線ファスナーなどの留め具によって開閉自在に留められている。
また収容本体部１１０の両側面上部には、複数の収容本体部１１０を連結するための被連結部１２０が設けられている。被連結部１２０は、例えば収容本体部１１０の外側に突出するように設けられた環状の帯体または鐶体である。
【００１４】
連結部材１３０は、複数の収容本体部１１０を連結するためのものであって、例えば茄子鐶や鉄砲カン蟹鐶のように、通常はバネの力で環が閉じており、力を加えることで環が開くものである。
【００１５】
複数重ねた収容本体部１１０の両側面上に設けられた被連結部１２０のうち、一方側に設けられた被連結部１２０をまとめて１つの連結部材１３０で連結し、他方側に設けられた被連結部１２０をまとめて別の連結部材１３０で連結する。これによって、複数の収容本体部１１０を着脱自在に連結することができる。
【００１６】
本考案の実施の形態では、収容本体部１１０に設けられた被連結部１２０を、連結部材１３０によって着脱自在に連結できるので、持ち出しに必要な物が収容された収容本体部１１０を選択し、必要な収容本体部１１０を連結部材１３０で連結して収容バッグ１００として使用できるので、バッグの中身を入れ替える必要がなくなる。
【００１７】
また、収容本体部１１０の形状や表面のデザインを様々なバリエーションを用意することで、洋服の色やスタイルに合わせて自由に色彩や形状が変形させることができる。例えば、利用者が収容バッグ１００を手に持った場合において、図１の矢印方向が表面側とすると、矢印の反対側が利用者側になる。このとき、収容バッグ１００のデザインとして表面化されるのは、連結された収容本体部１１０のうち、最表面側に連結された収容本体部１１０となる。
【００１８】
つまり、洋服の色やスタイルに合わせた収容本体部１１０を、最表面側にして連結することで、洋服の色やスタイルに合わせた収容バッグ１００を自在に形成することができるものである。
【００１９】
さらに、収容本体部１１０の色彩だけを複数のバリエーションを用意するだけで、収容本体部１１０に収容する収容物を色で識別することができる。例えば、収容本体部１１０を赤色、青色、黄色の３色を用意し連結する。色が同じであれば、どこの収容本体部１１０に収容物を入れたか分かりづらいが、色で区別されているため中身が認識しやすい。
【００２０】
具体的には、収容バッグ１００を赤ちゃんの母親が使用する場合、赤色の収容本体部１１０に未使用のオムツ、青色の収容本体部１１０に使用済みのオムツ、黄色の収容本体部１１０にミルクなどを入れれば、収容本体部１１０で識別可能に区別されているので必要な収容物を容易に識別して収容本体部１１０から取り出すことができ、あるいは的確な収容本体部１１０に収容物を収容することができる。
【００２１】
この複数色用意した収容本体部１１０も、連結部材１３０によって着脱自在に連結されているので、その日の洋服に合わせて収容本体部１１０の層を変更することで、自在に収容バッグ１００の表面色を変化させることが出来る。
【００２２】
図２は、収容本体部および被連結部の詳細を示す斜視図である。
図２に示すように、収容本体部１１０は、収容袋１１１および留め具１１２を備えている。また、被連結部１２０は、帯部１２１および鐶部１２２を備えている。
【００２３】
収容袋１１１は、収容物を収容するための３辺が閉口されたものであって、綿、デニム、麻、不織布、化学繊維、皮革など様々な材質で形成される。収容袋１１１は内部に複数の仕切りを設けることで、収容袋１１１の内部で収容物を区別できるようにしてもよい。
【００２４】
収容袋１１１の上部は、留め具１１２によって形成された開口部が閉口される。留め具１１２は、例えばボタン、線ファスナー、面ファスナーなど、収容袋１１１の上部の一部または全部を閉口し、収容した収容物が開口部より外に出なければ他の形態の留め具を用いてもよい。
【００２５】
収容袋１１１の大きさは、必要に応じて様々なバリエーションを用意する。例えば収容袋１１１のマチ幅の大きい物と小さい物を用意することで、内部に収容する収容物の大きさに対応する収容本体部１１０を選択することができる。なお、マチ幅の大きい場合は、収容袋１１１のマチ幅を収容袋１１１の内側に折りたたむことで、収容本体部１１０を平面状に形成するようにしてもよい。
【００２６】
また、収容袋１１１の色彩や表面に様々なデザインを施すことで、収容バッグ１００の表面化されるデザインを変化させたり、内部に収容する収容物を色やデザインで容易に利用者が識別できたりすることが出来る。
【００２７】
帯部１２１は、収容袋１１１の閉口された側面の上部に外側に向かって突出するように設けられた環状の帯体である。帯部１２１には、鐶部１２２が連結されており、鐶部１２２は例えばＤ鐶とよばれるＤ字の形状をした鐶体である。
【００２８】
なお、複数の収容本体部１１０のデザインや形状のバリエーションにおいても、被連結部１２０の収容本体部１１０への取り付け位置は一定とする。これにより収容本体部１１０の連結位置が安定し、複数の収容本体部１１０を連結しても安定して利用者が収容バッグ１００を手にすることができる。
【００２９】
図３は、収容バッグの一方側の被連結部および連結部材の詳細を示す斜視図である。
図３に示すように、複数の収容本体部１１０に設けられた被連結部１２０は、連結部材１３０によって１つにまとめられる。
【００３０】
連結部材１３０は、例えば茄子鐶や鉄砲カン蟹鐶のように、通常はバネの力で環が閉じており、力を加えることで環が開くものであって、開いた環から複数の鐶部１２２を連結部材１３０の環に通し、連結部材１３０の環を閉じることで、連結部材１３０の環に複数の被連結部１２０が連結される。
【００３１】
図３では、連結部材１３０の例としてリングキャッチを示す。連結部材１３０は、ねじ式に固定された開閉部１３１を回転させることで、連結部材１３０の環が開口される。その開口部から複数の鐶部１２２を連結部材１３０の環に入れ込み、再び開閉部１３１を先ほどとは逆回転させることで連結部材１３０の環を閉じる。これにより連結部材１３０の環に複数の被連結部１２０が連結される。
【００３２】
図４は、収容本体部の連結方法を示す斜視図である。
収容本体部１１０は、収容本体部１１０に備えられた被連結部１２０を連結部材１３０で連結することで、複数の収容本体部１１０が連結され、１つの収容バッグ１００が形成されるが、収容本体部１１０は被連結部１２０と連結部材１３０とだけで連結されているので、収容本体部１１０同士はバラバラに横揺れしてしまう。
【００３３】
そこで、図４に示すように、収容本体部１１０の表面および裏面に収容本体固定具１１３を設けることで、収容本体部１１０同士の結合をより強化し、形成される収容バッグ１００をより一体化させることができる。
【００３４】
収容本体固定具１１３は、例えばスナップボタンであって、複数重ねて連結される収容本体部１１０のうち、一方の収容本体部１１０の裏面の四隅にスナップボタンの雄ボタン１１３ａを設け、他方の収容本体部１１０の表面、かつ雄ボタン１１３ａに対応する位置に雌ボタン１１３ｂを設ける。
【００３５】
収容本体部１１０の連結時に、雄ボタン１１３ａおよび雌ボタン１１３ｂを結合することで、より強固に収容本体部１１０同士を連結させ、バラバラに収容本体部１１０が横揺れしてしまうことを防止することができる。
【００３６】
本実施の形態では、収容本体部１１０に備えられた被連結部１２０を連結部材１３０で連結し、さらに収容本体固定具１１３によって収容本体部１１０同士を固定させたが、収容本体部１１０を収容本体固定具１１３のみによって連結することもできる。
【００３７】
なお、本実施の形態では、収容本体固定具１１３の例としてスナップボタンを挙げたが、このほか収容本体固定具１１３の例として、線ファスナー、面ファスナーなどを用いて、収容本体部１１０同士を連結することもできる。
【００３８】
図５は、収容バッグに取っ手部を取付けた様子を示す斜視図である。
図５に示すように、収容バッグ１００は、連結部材１３０を介して取っ手部１４０を設けることが出来る。
【００３９】
取っ手部１４０は、利用用途によって様々な形態のものが選択され、収容バッグ１００をハンドバッグとして利用する場合は、持ち手の短い取っ手部１４０ａが選択されて複数の収容本体部１１０を連結した連結部材１３０に取付けられる。
また、収容バッグ１００をショルダーバッグとして利用する場合は、持ち手の長い取っ手部１４０ｂが選択されて複数の収容本体部１１０を連結した連結部材１３０に取付けられる。このほか利用形態によって様々な形態の取っ手部１４０を選択することができる。
【００４０】
取っ手部１４０の両側端部には、着脱自在に取り付け可能な鐶体が取付けられており、連結部材１３０に連結される。または連結部材１３０の環を開口して、取っ手部１４０の両側端部が連結部材１３０に連結される。
このように取っ手部１４０を着脱自在に収容バッグ１００に取付けられるので、利用用途に合わせて適宜必要な形態の収容バッグ１００を形成することができる。
【００４１】
図６は、収容バッグの表面に取付ける装飾面の詳細を示す斜視図である。
本実施の形態では、収容本体部１１０に備えられた被連結部１２０を連結部材１３０で連結し、さらに収容本体固定具１１３によって収容本体部１１０同士を固定させたが、利用者が収容本体部１１０の順番を入れ替えた場合、表面化される収容本体部１１０の表面に収容本体固定具１１３が露出してしまう場合がある。
【００４２】
そこで、図６に示すように、装飾面１５０を表面化された収容本体部１１０の露出した収容本体固定具１１３に取付けることで、収容本体固定具１１３を非表面化させ、新たなデザインの収容バッグ１００を形成することができる。
【００４３】
図６に示すように、最表面に連結された収容本体部１１０の表面には、雌ボタン１１３ｂが表面化されて取付けられている。
装飾面１５０は、収容バッグ１００と同じ大きさで形成された平面体であって、最表面に連結された収容本体部１１０の表面に取付けられた雌ボタン１１３ｂに対応する位置、かつ装飾面１５０の裏面に雄ボタン１５１ａが取付けられている。
【００４４】
この装飾面１５０を最表面に連結された収容本体部１１０の表面にのせ、雄ボタン１１３ａおよび雌ボタン１５１ａを連結することで、装飾面１５０が収容本体部１１０の表面に固定される。これにより最表面に連結された収容本体部１１０の表面に露出した収容本体固定具１１３を非表面化させることができる。
【００４５】
また装飾面１５０のデザインを様々なバリエーションを用意することで、洋服の色やスタイルに合わせて自由に色彩や形状が変形させることができる。なお、装飾面１５０に収容ポケット１５１を設けることで、収容バッグ１００の最表面にあらたな収容部を設けることも出来る。
【００４６】
なお、本実施の形態では、複数重ねた平面状の収容本体部１１０の両側面上に設けられた被連結部１２０のうち、一方側に設けられた被連結部１２０をまとめて１つの連結部材１３０で連結し、他方側に設けられた被連結部１２０をまとめて別の連結部材１３０で連結したが、収容本体部１１０の形状、および連結方法はこれに限るものではない。
【００４７】
例えば、収容本体部１１０を下面が閉口した円筒形とし、上面は留め具などによって開閉自在に留められる。この円筒形の収容本体部１１０の周面に２つの被連結部１２０を設け、複数の円筒形の収容本体部１１０を側面方向に複数の連結部材１３０で連結し、端と端をさらに連結部材１３０で連結することで、円筒形の収容本体部１１０による環状の収容バッグ１００が形成される。
【００４８】
被連結部１２０を連結した連結部材１３０のうち、いずれか２カ所に取っ手部１４０を連結することで、持ち手を有した環状の収容バッグ１００を形成することができる。また、円筒形の収容本体部１１０に複数欲のカラーバリエーションを用いることで、カラフルな収容バッグ１００を形成することができる。
【符号の説明】
【００４９】
１  バッグ本体部
２  ベルト
３  支持部
４  背当て部
１１  バッグ本体係合部
２１  係止具
３１  取付具
４１  止着部
１００  収容バッグ
１１０  収容本体部
１１１  収容袋
１１２  留め具
１１３  収容本体固定具
１１３ａ、１５１ａ  ボタン
１１３ｂ  雌ボタン
１２０  被連結部
１２１  帯部
１２２  鐶部
１３０  連結部材
１３１  開閉部
１４０、１４０ａ、１４０ｂ  取っ手部
１５０  装飾面
１５１  収容ポケット
【図１】
0003231827.tif 000003
【図２】
0003231827.tif 000004
【図３】
0003231827.tif 000005
【図４】
0003231827.tif 000006
【図５】
0003231827.tif 000007
【図６】
0003231827.tif 000008
【手続補正書】
【提出日】令和3年2月25日(2021.2.25)
【手続補正１】
【補正対象書類名】実用新案登録請求の範囲
【補正対象項目名】全文
【補正方法】変更
【補正の内容】
【実用新案登録請求の範囲】
【請求項１】
収容物を区分けして収容する収容バッグにおいて、
収容物を区分けするための複数の区分袋と、
前記区分袋の側面に設けられた被連結鐶と、
前記被連結鐶をまとめて着脱自在に連結する連結鐶と、
を備えたことを特徴とする収容バッグ。
【請求項２】
前記区分袋は、
平面形状であることを特徴とする請求項１記載の収容バッグ。
【請求項３】
前記連結鐶は、
前記収容バッグを把持するための取っ手部と着脱自在に連結されていることを特徴とする請求項１記載の収容バッグ。
【請求項４】
連結された前記区分袋のうち最表面に連結された最表面区分袋は、
前記最表面区分袋の表面に着脱自在に取付けられる装飾面、
を備えることを特徴とする請求項１記載の収容バッグ。
【請求項５】
連結される前記区分袋は、
各々異なったデザインが施されていることを特徴とする請求項１記載の収容バッグ。
【請求項６】
収容物を区分けして収容する収容バッグにおいて、
収容物を区分けするための複数の区分袋と、
一方の区分袋の表面と、他方の区分袋の裏面と、に設けられて着脱自在に連結する一対の留め具、
を備えたことを特徴とする収容バッグ。
【請求項７】
前記留め具は、
着脱ボタンであることを特徴とする請求項６記載の収容バッグ。
【請求項８】
前記区分袋は、
平面形状であることを特徴とする請求項６記載の収容バッグ。
【請求項９】
連結された前記区分袋のうち最表面に連結された最表面区分袋は、
前記最表面区分袋の表面に着脱自在に取付けられる装飾面、
を備えることを特徴とする請求項６記載の収容バッグ。
【請求項１０】
連結される前記区分袋は、
各々異なったデザインが施されていることを特徴とする請求項６記載の収容バッグ。